(57)【要約】  コークス炉コーベル構造は、複数の実質的に垂直に方向付けられた中央煙道を規定する、耐火性ブロックの複数の積み重ねられた層の組立体を含む。組立体における耐火性ブロックの第１の層は、コーベル構造の一端から別の端に伸長する、それぞれの下部半円形表面を規定する一連の下部受け台ブロックを含む。組立体における耐火性ブロックの第２の層は、コーベル構造の一端から別の端に伸長する、それぞれの上部半円形表面を規定する一連の上部クラウンブロックを含む。耐火性ブロックの第２の層における上部クラウンブロックの少なくとも１つのセットは、コーベル構造の垂直に方向付けられた中央煙道のそれぞれの実質的に垂直なセグメントを規定し、これは、コーベル構造の円筒形チャネルと流体連結する。
2018507951.tif 000002
【特許請求の範囲】
【請求項１】
コークス炉のためのコーベル構造であって、
複数の実質的に垂直に方向付けられた中央煙道を規定する、耐火性ブロックの複数の積み重ねられた層の組立体を備え、ここにおいて、
前記組立体における耐火性ブロックの第１の層は、前記コーベル構造の一端から別の端に伸長する、それぞれの下部半円形表面を規定する一連の下部受け台ブロックを含み、
前記組立体における前記耐火性ブロックの第２の層は、前記コーベル構造の一端から別の端に伸長する、それぞれの上部半円形表面を規定する一連の上部クラウンブロックを含み、ここにおいて、
前記耐火性ブロックの第２の層は、前記上部クラウンブロックと下部受け台ブロックの、前記それぞれの上部及び下部の半円形表面が互いに対向して、これにより前記コーベル構造の対向された端の間で円筒形チャネルを規定するように、前記耐火性ブロックの第１の層の上に積み重ねられ、ここにおいて、
前記耐火性ブロックの第２の層における前記上部クラウンブロックの少なくとも１つのセットは、前記コーベル構造の前記垂直に方向付けられた中央煙道のそれぞれの実質的に垂直なセグメントを規定し、前記実質的に垂直なセグメントの下部端は、それにより前記コーベル構造の前記円筒形チャネルと流体連結するために、前記上部半円形表面で終端する、コーベル構造。
【請求項２】
前記コーベル構造の少なくとも前記一端に、上部及び下部の端ブロックをさらに備え、ここにおいて、前記上部及び下部の端ブロックは、対向された上部及び下部の矩形Ｕ形状受け台表面を規定する、請求項１に記載のコーベル構造。
【請求項３】
前記上部及び下部の端ブロックの前記矩形Ｕ形状受け台表面内で受け入れられたトランジションガンブロックをさらに備え、ここにおいて、前記トランジションガンブロックは、前記上部及び下部の受け台ブロックによって規定された前記円筒形チャネルと流体連結するガンブロックトランジションチャネルを規定する、請求項２に記載のコーベル構造。
【請求項４】
前記トランジションガンブロックは矩形の立方形である、請求項３に記載のコーベル構造。
【請求項５】
前記トランジションガンブロックは、前記ガンブロックトランジションチャネルを確立するために、対向されたＵ形状表面を規定する、上部及び下部のガンブロックセクションを含む、請求項３に記載のコーベル構造。
【請求項６】
前記耐火性ブロックの第２の層における前記上部クラウンブロックの少なくとも第２のセットは、前記コーベル構造の斜めに方向付けられた横煙道のそれぞれの斜めに方向付けられた横煙道セグメントを規定する、請求項１に記載のコーベル構造。
【請求項７】
前記上部クラウンブロックの第１及び第２のセットは、互いに交互に隣接して位置付けられている、請求項６に記載のコーベル構造。
【請求項８】
前記耐火性ブロックの第２の層の上に積み重ねられた耐火性ブロックの第３の層をさらに備え、ここにおいて、前記耐火性ブロックの第３の層は、一連の逆Ｔ形状煙道ブロックを備える、請求項１に記載のコーベル構造。
【請求項９】
前記逆Ｔ形状煙道ブロックは、上部棚表面及び下部棚表面を含む、請求項８に記載のコーベル構造。
【請求項１０】
前記逆Ｔ形状煙道ブロックの下部エッジによって支えられたそれぞれの端を有する下部スペーサブロックをさらに備える、請求項９に記載のコーベル構造。
【請求項１１】
前記耐火性ブロックの第３の層における前記逆Ｔ形状煙道ブロックの少なくとも１つのセットは、前記コーベル構造の前記垂直に方向付けられた中央煙道のそれぞれの実質的に垂直なセグメントを規定し、前記実質的に垂直なセグメントの下部端は、ここで流体連結するように、上部受け台ブロックの前記実質的に垂直なセグメントの上部端で整列される、請求項８に記載のコーベル構造。
【請求項１２】
前記少なくとも一連の逆Ｔ形状ブロックの前記実質的に垂直なセグメントは、前記逆Ｔ形状ブロックの隣接するブロックの垂直な面によって閉じられる開いた端を有するＵ形状である、請求項１１に記載のコーベル構造。
【請求項１３】
前記耐火性ブロックの第３の層における前記逆Ｔ形状煙道ブロックの少なくとも第２のセットは、前記コーベル構造の斜めに方向付けられた横煙道のそれぞれの斜めに方向付けされた横煙道セグメントを規定する、請求項に記載のコーベル構造。
【請求項１４】
前記逆Ｔ形状煙道ブロックの前記上部棚表面の上に、端から端をつなぐやり方で位置付けられた一連の細長いショルダーブロックからなる耐火性ブロックの第４の層をさらに備える、請求項１０に記載のコーベル構造。
【請求項１５】
前記ショルダーブロックに隣接して位置付けられて、前記下部スペーサブロックの上に積み重ねられた上部スペーサブロックを備える、請求項１４に記載のコーベル構造。
【請求項１６】
前記コーベル構造の前記円筒形チャネルにおいて位置付けられた一連の分割円筒形ガンブロックをさらに備える、請求項１に記載のコーベル構造。
【請求項１７】
前記分割円筒形ガンブロックは、上部及び下部半円筒形ガンブロックセクションを備え、ここにおいて、前記上部半円筒形ガンブロックセクションの少なくともいくつかは、前記上部クラウンブロックの前記少なくとも１セットの前記実質的に垂直なセグメントのそれぞれのものと流体連結する開口を規定する、請求項１６に記載のコーベル構造。
【発明の詳細な説明】
【技術分野】
【０００１】
[0001]  本出願は、２０１５年３月１２日に提出された米国仮特許出願番号第６２／１３１、９３６号からの３５ＵＳＣ§１１９（ｅ）の下の国内優先権に基づいてこれを主張し、共通して所有される同時係属する２０１５年１１月２０日に提出された米国特許出願番号第１４／９４７、３２０号、及び、ここで同時に出願された・・／・・・、・・・（Ａｔｔｙ．Ｄｋｔ．Ｎｏ．６１４１−５１）に関連付けられると考えられ得、この内容全体が、参照によってここに明確に組み込まれる。
【０００２】
[0002]  ここで開示された実施形態は、一般的に、コークス炉、特に、コークス炉に関係付けられたコーベル構造に関連する。好ましい実施形態において、ここで開示されたコーベル構造は、モノリシック耐火性ブロックの組立体から形成される。
【背景技術】
【０００３】
[0003]  コークス炉は、伝統的に、大きな耐火性煉瓦構造を備え、ここには、広いさまざまな異なる形状の耐火性煉瓦から作られた隣接する並行する壁の組がある。煉瓦は、高温と、高い機械的負荷に耐えることができなければならない。同時に、壁の内部は、煙道管、バーナ、煙道ガス制御通路、及びこれに類するものを含む。炉の詳細な設計は、通常、炉内の必要な熱分配と壁を通したガスフローを取得するために、非常に複雑である。
【０００４】
[0004]  コークス炉が比較的高価な構造であり、保守と修理のための任意の中断時間は、操作者に対して著しい経済的損失を表わし得ることが、上記からわかる。
【０００５】
[0005]  さらに、壁を作るセラミック煉瓦の作成は比較的高価であり、したがって一般的に、壁において使用される異なるタイプの煉瓦の数を低減する必要性がある。しかしながら、建設において比較的大きなセラミック煉瓦を利用する設計構想を有することは望ましくない。過度に大きな煉瓦は、特殊化された機械的持ち上げ装置の使用なしでは取り扱われ得ない。さらに、石英ガラス製品を形成するために機械加圧された、６５０ｍｍよりも大きな寸法を有する煉瓦は、一般的に入手可能でない。このサイズよりも大きな煉瓦はハンドキャスティングであり得るが、これらは、はるかに高額である。大きな煉瓦は従来のシリカから機械加圧され得るが、従来のシリカ煉瓦は、そこから作られた壁が、石英ガラス煉瓦についてよりも数倍長い加熱時間を必要とするという点で、非常に深刻な不利益を有する。
【０００６】
[0006]  （このような各特許の内容全体が、参照によってここに明確に組み込まれた）米国特許番号６、０６６、２３６、８、２６６、８５３、及び、８、６４０、６３５は、比較的大きなサイズのモノリシック耐火性ブロックが、コークス炉のコーベル構造を形成するために組立てられ得ることを提案した。概して、このような大きなサイズのモノリシック耐火性ブロックの組立体は、コークス炉が、はるかに少ない生産停止時間で建設され、及び/又は、修理されるのを可能にする。
【０００７】
[0007]  コークス炉コーベル構造についてのこのような従来の提案は、それらの意図された目的については申し分ない一方、連続的な改善が求められる。ここで開示された実施形態は、そのような改善を提供することに向けられている。
【発明の概要】
【０００８】
[0008]  ここで開示された実施形態のコークス炉コーベル構造は、複数の実質的に垂直方向付けされた中央煙道を規定する、耐火性ブロックの複数の積み重ねられた層の組立体を含む。組立体における耐火性ブロックの第１の層は、コーベル構造の一端から別の端に伸長する、それぞれの下部半円表面を規定する一連の下部受け台ブロックを含む。組立体における耐火性ブロックの第２の層は、コーベル構造の一端から別の端に伸長する、それぞれの上部半円形表面を規定する一連の上部クラウンブロックを含む。
【０００９】
[0009]  耐火性ブロックの第２の層は、上部クラウンブロックと下部受け台ブロックの、それぞれの上部及び下部の半円形表面が互いに対向して、これによりコーベル構造の対向された端の間で円筒形チャネルを規定するように、耐火性ブロックの第１の層上に積み重ねられる。耐火性ブロックの第２の層における上部クラウンブロックの少なくとも１つのセットは、コーベル構造の垂直に方向付けられた中央煙道のそれぞれの実質的に垂直なセグメントを規定し、実質的に垂直なセグメントの下部端は、これによりコーベル構造の円筒形チャネルと流体連結するために、上部半円形表面で終端する。
【００１０】
[0010]  ある実施形態にしたがうと、上部及び下部の端ブロックは、コーベル構造の少なくとも一端に備えられ得、ここにおいて、上部及び下部の端ブロックは、対向された上部及び下部の矩形Ｕ形状受け台表面を規定する。トランジションガンブロックは、したがって、上部及び下部の端ブロックのＵ形状受け台表面内で受け入れられ得、この場合において、トランジションガンブロックは、上部及び下部の受け台ブロックによって規定された円筒形チャネルと流体連結するガンブロックトランジションチャネルを規定する。トランジションガンブロック（transition gun block）が、矩形の立方形の形態であり得る。代替的に又は付加的に、トランジションガンブロックは、ガンブロックトランジションチャネルを確立するために、対向されたＵ形状表面を規定する、上部及び下部のガンブロックセクションを含み得る。
【００１１】
[0011]  コーベル構造のいくつかの実施形態は、コーベル構造の斜めに方向付けられた横煙道の、それぞれ斜めに方向付けられた横煙道セグメントを規定する耐火性ブロックの第２の層における上部クラウンブロックの少なくとも第２のセットを含み得る。存在する場合、上部クラウンブロックの第１及び第２のセットは、互いに交互に隣接して位置付けられる。
【００１２】
[0012]  耐火性ブロックの第３の層は、他の実施形態にしたがって備えられ得、これにより、第３の層の耐火性ブロックは、耐火性ブロックの第２の層上に積み重ねられる。耐火性ブロックの第３の層が存在する場合、耐火性ブロックの第３の層は、一連の逆Ｔ形状煙道ブロックを備え得る。逆Ｔ形状の煙道ブロックは、上部及び下部の棚表面とともに備えられ得る。逆Ｔ形状の煙道ブロックの下部エッジにより支えられたそれぞれの端を有する下部スペーサブロックが、したがって、耐火性ブロックの第３の層において備えられる。
【００１３】
[0013]  いくつかの実施形態は、コーベル構造の垂直に向けられた中央煙道のそれぞれの実質的に垂直なセグメントを規定する、耐火性ブロックの第３の層における逆Ｔ形状のブロックの少なくとも１つのセットを含む。実質的に垂直なセグメントの下部端は、したがって、ここで流体連結するように、上部受け台ブロックの実質的に垂直なセグメントの上部端で整列され得る。少なくとも一連の逆Ｔ形状のブロックの実質的に垂直なセグメントは、Ｕ形状であり得る。このような実施形態にしたがった、Ｕ形状の実質的に垂直なセグメントは、これにより、逆Ｔ形状のブロックの隣接するブロックの垂直な面によって閉じられる開いた端を有する。
【００１４】
[0014]  他の実施形態にしたがうと、耐火性ブロックの第３の層における逆Ｔ形状のブロックの少なくとも第２のセットは、コーベル構造の斜めに方向付けられた横煙道のそれぞれの斜めに方向付けられた横煙道セグメントを規定する。
【００１５】
[0015]  コーベル構造のある実施形態は、第３の層の逆Ｔ形状のブロックの上部棚表面上に、端から端をつなぐ（end-to-end）やり方で位置付けられた一連の細長いショルダーブロックからなる耐火性ブロックの第４の層を含む。上部スペーサブロックは、したがって、ショルダーブロックに隣接して位置付けられて、下部スペーサブロック上に積み重ねられ得る。
【００１６】
[0016]  いくつかの実施形態にしたがうと、一連の分割円筒形のガンブロック（gun block）は、コーベル構造の円筒形チャネルにおいて位置付けられ得る。円筒形ガンブロックは、上部及び下部の半円筒形ガンブロックセクションを備え得る。いくつかの実施形態は、上部クラウンブロックの少なくとも１つのセットの実質的に垂直なセグメントのそれぞれのものと流体連結する、上部半円筒形ガンブロックセクションの少なくともいくつかによって規定された開口を含む。
【００１７】
[0017]  本発明の、これらの及び他の態様と利点は、注意深い考慮がこの好ましい例示的な実施形態の以下の詳細な説明に与えられた後に、より明確になるだろう。
【００１８】
[0018]  本発明の開示された実施形態は、図面に関して、例示的な限定的でない説明となる実施形態の以下の詳細な説明を参照することによって、より良く、さらに完全に理解されるだろう。
【図面の簡単な説明】
【００１９】
【図１】[0019]  図１は、コークス炉支柱上で支えられた本発明の実施形態による、例示的なコーベル構造を示す斜視図である。
【図２】[0020]  図２は、図１において描かれたコーベル構造のみを示す斜視図である。
【図３】[0021]  図３は、図２において示されたコーベル構造の上面図である。
【図４】[0022]  図４は、図２における線４−４に沿ってとられた、図２において示されたコーベル構造の横方向の断面立面図である。
【図５】[0023]  図５は、図２において描かれたコーベル構造の側立面図である。
【図６】[0024]  図６は、図２において描かれたコーベル構造の端立面図である。
【図７】[0025]  図７は、図６における線７−７に沿ってとられた、図２において描かれたコーベル構造の縦方向の断面図である。
【図８】[0026]  図８は、同じものを形成する個々の層を示す図２において描かれるコーベル構造の分解組立図である。
【図９Ａ】[0027]  図９Ａは、図２において描かれたコーベル構造を形成するブロックの第１の層の斜視図である。
【図９Ｂ】[0028]  図９Ｂは、図９Ａに類似した斜視図であるが、分解組立位置におけるトランジションガンブロックを示している。
【図１０Ａ】[0029]  図１０Ａは、図２において描かれたコーベル構造を形成するブロックの第２の層の斜視図である。
【図１０Ｂ】[0030]  図１０Ｂは、図１０Ａに類似した斜視図であるが、分解組立位置における横正面棚ブロックを示している。
【図１１】[0031]  図１１は、図２において描かれたコーベル構造を形成するブロックの第３の層の部分的に分解組立の斜視図である。
【図１２】[0032]  図１２は、図２において描かれたコーベル構造を形成するブロックの第４の層の斜視図である。
【図１３】[0033]  図１３は、本発明にしたがったコーベル構造の別の実施形態の斜視図である。
【図１４】[0034]  図１４は、図１３において描かれたコーベル構造の上面図である。
【図１５】[0035]  図１５は、図１３において描かれたコーベル構造の端立面図である。
【図１６】[0036]  図１６は、図１５における線１７−１７に沿ってとられた、図１３において描かれたコーベル構造の縦方向の断面図である。
【図１７】[0037]  図１７は、図１３において描かれたコーベル構造を形成するブロックの層を示す分解組立図である。
【発明を実施するための形態】
【００２０】
[0038]  付随する図１は、コークス炉一組に関係付けられた支柱Ｐ上で支えられた本発明の実施形態による例示的なコーベル構造１０を示す。これに関して、従来のコークス炉一組は、それぞれコーベル構造１０を支えて、（示されない）チェッカー煉瓦により備えられた蓄熱室領域をこの間に規定する、多数の間隔を空けられた離れた支柱Ｐを含むことが理解されよう。コーベル構造１０は順次、（示されない）個々のコークス炉の耐火性の壁と床を支える。
【００２１】
[0039]  図２〜１２は、コーベル構造１０の構成要素をさらに詳細に示す。これに関して、コーベル構造１０は、別のものの上部に積み重ねられた（以下でさらに詳細に記述されることになる）特別に構成された耐火性ブロックから組立てられた本質的に４つの段１００、２００、３００及び４００からなることが観察されるだろう。段１００、２００、３００及び４００は、中央の実質的に垂直に方向付けられた煙道６０と、横の実質的に斜めに方向付けられた煙道７２とを一括して規定し、その中で空気とガスの燃焼を可能にし、加熱された不要なガスの蓄熱器領域への移送及び蓄熱器領域からの移送を可能にするために、（示されない）コークス炉壁の壁内の、対応する煙道と通じている。
【００２２】
[0040]  図９Ａ及び図９Ｂは、コーベル構造１０の第１の層１００を形成する、相互接続された耐火性ブロックの組立体の斜視図であり、図９Ｂは、図９Ａと比較して分解位置を示す。示されているように、コーベル構造の１０の第１の層１００には、各ブロックの正面と後方面の間に縦方向に伸長する半円筒形表面１０４をそれぞれ規定する相互接続された一連の受け台ブロック１０２が備えられる。一連の受け台ブロック１０２が互いに整列されているとき、半円筒形表面１０４は、したがって、コーベル構造１０の長い方向に伸長する縦方向のＵ形状チャネルを規定する。
【００２３】
[0041]  端ブロック１０６は、受け台ブロック１０２の最も端のものの正面に隣接して備えられる。端ブロック１０６は、上部及び下部のガンブロックセクション１０８ａ、１０８ｂからなる直方体形のトランジションガンブロック１０８を支えるための、矩形のＵ形状受け台１０６ａを規定する。ガンブロックセクション１０８ａ、１０８ｂは、それぞれの対向された半円筒形表面を規定し、これら半円筒形表面は、受け台ブロック１０２の半円筒形表面１０４によって形成されたＵ形状チャネルと同軸で整列された円筒形チャネル１０８ｃを一括して確立する。
【００２４】
[0042]  コーベル構造１０を備えるブロックの第２の層２００が、図１０Ａと図１０Ｂに示されている。描かれているように、第２の層２００は、交互の一連の横煙道クラウンブロック２０２と、中央煙道クラウンブロック２０４とからなり、前者は斜めに方向付けられた煙道７２のセクションを規定し、後者は実質的に垂直に方向付けられた煙道６０のセクションを規定する。さらに具体的に、中央煙道ブロック２０４は、実質的に垂直に方向付けられた煙道６０の矩形セグメントを規定し、これに対して、横煙道クラウンブロック２０２は、斜めに方向付けられたＵ形状のチャネルを規定し、Ｕ形状チャネルは、隣接するブロック２０４の１つの垂直面によって閉じられている。中央煙道ブロック２０４は、その中へのガスのフローを制御するために、煙道６０のセグメントにおいて位置付けられた静的なガスノズル２０７を含み得る。
【００２５】
[0043]  端ブロック２０６は、クラウンブロック２０２の最も端の正面に隣接して備えられる。端ブロック２０６には、トランジションガンブロック１０８の上部ガンブロックセクション１０８ａを受け入れるように、逆矩形のＵ形状受け台表面２０６ａが備えられる。さらに、端ブロック２０６は、翼ブロック２０８と関係付けられた対応するチャネル表面２０８ａを結合するために、反対に方向付けられた取り付け舌部２０６ｂを含む。これに関して、横の翼ブロック２０８は、上部及び下部翼ブロックセグメント２０８ｂ、２０８ｃを形成するためにそれぞれ水平に分割されることが観察され、後者は、上部翼ブロックセグメント２０８ｂの対向された面によって閉じられるＵ形状のチャネル２０８ｄを有する。
【００２６】
[0044]  コーベル構造１０を形成するブロックの第３の層３００は、図１１において描かれる。示されているように、第３の層３００は、一連の交互の逆Ｔ形状の横煙道ブロック３０２と、逆Ｔ形状中央煙道ブロック３０４からなり、前者は実質的に垂直に方向付けられた煙道６０のセクションを規定し、後者は斜めに方向付けられた煙道７２のセクションを規定する。下部スペーサブロック３０６は、ブロック３０２、３０４の側方エッジに対して横で接し、ブロックの直下の第２の層２００のクラウンブロック２０２、２０４の上部横表面によって支えられる。ブロック３０２、３０４は、それぞれ下部棚３０２ａ、３０４ａを規定し、これらは、下部スペーサブロック３０６の上部表面と共平面である。上部スペーサブロック３０８は、したがって、下部スペーサブロック３０６によって支えられ、それぞれの下部棚３０２ａ、３０４ａ上で受け入れられた端部分を有する。
【００２７】
[0045]  逆Ｔ形状端ブロック３０６は、ブロック３０４の最も端のものの正面に隣接して備えられる。端ブロック３０６は、棚３０６ａを規定し、これは、それぞれブロック３０２、３０４の棚３０２ａと、３０４ａと共平面である。
【００２８】
[0046]  コーベル構造１０を形成するブロックの第４の層は、図１２に描かれている。第４の層４００は、第３の層３００の、ブロック３０２、３０４の上部棚表面３０２ｂ、３０４ｂ上に端から端につなぐやり方でそれぞれ位置付けられた一連の延長ショルダーブロックを含む（図１１参照）。Ｔ形状端ブロック４０６は、第３の層３００の端ブロック３０６の上部表面上に位置付けられる。スペーサブロック４０６は、ブロック４０２の横表面に対して接するやり方で、第３の層３００のスペーサブロック３０８上に置かれる。
【００２９】
[0047]  コーベル構造５００の別の実施形態は、図１３〜図１７に示されている。示されているように、コーベル構造５００は、以下でさらに詳細に記述されることになるブロックの３つの層６００、７００及び８００を含む。段６００、７００及び８００は、一括して、中央の実質的に垂直に方向付けられた煙道１６０と、横の実質的に斜めに方向付けられた煙道１７２を規定し、これら煙道は、その中での空気とガスの燃焼を可能にし、加熱された不要なガスの蓄熱室領域への及び蓄熱室領域からの移送を可能にするために、（示されない）コークス炉の壁内の対応する煙道と通じている。
【００３０】
[0048]  おそらく図１７により良く示されているように、コーベル構造５００の第１の層６００には、以前に記述されたコーベル構造１０の受け台ブロック１０２に多少類似した相互接続された一連の受け台ブロック６０２が備えられる。受け台ブロック６０２のそれぞれは、各ブロックの正面と後方面の間に縦方向に伸長する半円筒形の表面６０４を規定する。一連の受け台ブロック６０２が互いの内で整列されたとき、したがって、半円筒形の表面６０４は、よってコーベル構造５００の長い方向に伸長する縦方向のＵ形状チャネルを規定する。
【００３１】
[0049]  上部半円筒形ガンブロック６０６ａと下部半円筒形ガンブロック６０６ｂからなる一連の分割円筒形ガンブロック６０６は、下部半円筒形ガンブロック６０６ｂが、受け台ブロック６０２のそれぞれの半円筒形表面６０４から受け入れられるように、互いに対して端から端で位置付けられる。上部半円筒形ガンブロック６０６ａの少なくともいくつかは開口６０６ｃを含み、これは、実質的に垂直に方向付けられた煙道１６０と流体連結する。したがって、端から端につなぐやり方で組み立てられたとき、分割円筒形ガンブロック６０６は、コーベル構造５００を通して縦方向に伸長する細長い円筒形通路６０７を確立する。
【００３２】
[0050]  第２の層７００は、一連の交互の横煙道クラウンブロック７０２の一連と中央煙道クラウンブロック７０４からなり、前者は斜めに方向付けられた煙道１７２のセクションを規定し、後者は実質的に垂直に方向付けられた煙道１６０のセクションを規定する。さらに特に、中央煙道クラウンブロック７０４は、実質的に垂直に方向付けられた煙道１６０の矩形セグメントを規定し、これに対し、横煙道クラウンブロック７０２は、ブロック２０４に隣接するブロックの垂直面によって閉じられる斜めに方向付けられたＵ形状のチャネルを規定する（図１７参照）。クラウンブロック７０４によって規定される煙道１６０のセグメントは、上部半円筒形ガンブロック６０６ａにおいて形成されたそれぞれの開口６０６ｃと整列される。開口のない充填ブロック７０６は、必要に応じて（すなわち、煙道１６０及び／又は１７２のセクションを備えるように要求されない場合）備えられ得る。
【００３３】
[0051]  クラウンブロック７０２、７０４は、半円筒形ガンブロック６０６ａと一致して結合する半円筒形表面７０８を、一括して規定する。ガンブロック６０６は、このように、一方ではクラウンブロック７０２、７０４の間に、他方では受け台ブロック６０２上に、位置的に捕捉される。クラウンブロック７０４は、その中へのガスのフローを制御するように、煙道１６０のセグメントにおいて位置付けられた静的なガスノズル８０７を含み得る。
【００３４】
[0052]  第３の層８００は、交互の一連の逆Ｔ形状横煙道キャップブロック８０２と、逆Ｔ形状中央煙道キャップブロック８０４からなり、前者は実質的に垂直に方向付けられた煙道１６０のセクションを規定し、後者は斜めに方向付けられた煙道１７２のセクションを規定する。下部スペーサブロック８０６は、ブロック８０２、８０４の側方エッジに対して横で接し、ブロックの直下の第２の層７００のブロック７０２、７０４の上部横表面によって支えられる。ブロック８０２、８０４は、それぞれ、下部スペーサブロック８０６の上部表面と共平面である下部棚８０２ａ、８０４ａを規定する。上部スペーサブロック８０８（図１３〜図１５参照）は、したがって、下部スペーサブロック８０６によって支えられ、下部棚８０２ａ、８０４ａ上で受け入れられるそれぞれの端部分を有する。同様に構成された開口のない充填ブロック８１０は、必要に応じて（すなわち、煙道１６０、１７２のセグメントが要求されない場合）備えられ得る。
【００３５】
[0053]  一連の細長いショルダーブロック８１２は、第３の層３００のブロック３０２、３０４の上部棚表面８０２ｂ、８０４ｂ上に、端から端をつなぐやり方でそれぞれ位置付けられる（図１１参照）。スペーサブロック８１４は、ブロック８１２の横表面に対して接するやり方で、スペーサブロック８０８上に置かれる。
【００３６】
[0054]  コーベル構造１０と５００を備える上述されたさまざまなブロックは、米国仮特許出願番号第６２／０８２、９２２号において記述されたような、連動する溝形（tongue and groove）構造で備えられることが好ましい。
【００３７】
[0055]  ここで提供された記述は、目下、本発明の最も実際的であって好ましい実施形態であると見なされることが理解されるだろう。したがって、本発明は、開示された実施形態に限定されるものではなく、対照的に、この精神と範囲内に含まれるさまざまな変形や同等の構成をカバーするように意図されるものである。
【図１】
2018507951.tif 000003
【図２】
2018507951.tif 000004
【図３】
2018507951.tif 000005
【図４】
2018507951.tif 000006
【図５】
2018507951.tif 000007
【図６】
2018507951.tif 000008
【図７】
2018507951.tif 000009
【図８】
2018507951.tif 000010
【図９Ａ】
2018507951.tif 000011
【図９Ｂ】
2018507951.tif 000012
【図１０Ａ】
2018507951.tif 000013
【図１０Ｂ】
2018507951.tif 000014
【図１１】
2018507951.tif 000015
【図１２】
2018507951.tif 000016
【図１３】
2018507951.tif 000017
【図１４】
2018507951.tif 000018
【図１５】
2018507951.tif 000019
【図１６】
2018507951.tif 000020
【図１７】
2018507951.tif 000021
【国際調査報告】
2018507951.tif 000022
2018507951.tif 000023